(57)【要約】  ユーザに適切な香りを提供することを可能とする。  携帯端末は、ユーザの生理指標から心身状態を取得する取得部と、ユーザの未来の情報を入力する入力部と、心身状態と未来の情報に基づいて、香料の種類および調合比率を含むレシピを決定する決定部と、レシピを香り発生装置に送信する通信部とを備える。
2018163361.tif 000002
【特許請求の範囲】
【請求項１】
ユーザの生理指標から心身状態を取得する取得部と、
前記ユーザの未来の情報を入力する入力部と、
前記心身状態と前記未来の情報に基づいて、香料の種類および調合比率を含むレシピを決定する決定部と、
前記レシピを香り発生装置に送信する通信部とを備える携帯端末。
【請求項２】
前記入力部は、さらに前記ユーザの現在の心理状態を入力し、前記決定部は、前記心理状態に基づいて前記レシピを決定する請求項１に記載の携帯端末。
【請求項３】
前記決定部は、調合比率が最も高い主香料を前記未来の情報に基づいて決定し、前記主香料よりも調合比率が低い副香料を前記心身状態に基づいて決定する請求項１または２に記載の携帯端末。
【請求項４】
前記生理指標は、心拍、まばたき、頭部の動きのうちの少なくとも１つを含む請求項１乃至３のいずれか１項に記載の携帯端末。
【請求項５】
前記心身状態は、ストレス状態、集中状態、社交性の状態のうちの少なくとも１つを含む請求項１乃至４のいずれか１項に記載の携帯端末。
【請求項６】
前記未来の情報は予定行動を含み、前記予定行動は、仕事、勉強、運動、家事、身支度、休息、睡眠、入浴のうちの１つである請求項１乃至５のいずれか１項に記載の携帯端末。
【請求項７】
前記心理状態は、気分の良し悪しを表す請求項２に記載の携帯端末。
【請求項８】
前記入力部は、前記ユーザの所望の気分を入力し、前記決定部は、前記所望の気分に基づいて前記レシピを決定する請求項１乃至７のいずれか１項に記載の携帯端末。
【請求項９】
前記取得部は、前記ユーザの画像データを用いて前記生理指標を算出する請求項１乃至８のいずれか１項に記載の携帯端末。
【請求項１０】
前記画像データの撮像を行う撮像部を備える請求項９に記載の携帯端末。
【請求項１１】
前記決定部は、所定のルールに従って複数のレシピの中から１つのレシピを選択する請求項１乃至１０のいずれか１項に記載の携帯端末。
【請求項１２】
前記レシピは、フルーティ、シトラス、フローラル、ソープ、グリーン、ムスク、グルマン、ハーバル、アクアティック、ウッディ、オリエンタル、ティー、アルデハイディック、ミンティ、アロマティック、スパイシー、アーシィ、モッシィ、バルサミック、レザー、アンバーのうちの少なくとも１つの香調を有する香料を含む請求項１乃至１１のいずれか１項に記載の携帯端末。
【請求項１３】
前記入力部は、決定された前記レシピに対する前記ユーザのフィードバックを入力する請求項１１に記載の携帯端末。
【請求項１４】
前記決定部は、前記フィードバックに基づいて前記所定のルールを更新する請求項１３に記載の携帯端末。
【請求項１５】
請求項１３に記載の携帯端末と通信可能なサーバであって、複数のユーザからの前記フィードバックに基づいて前記所定のルールを更新するサーバ。
【請求項１６】
ユーザの生理指標から心身状態を取得するステップと、
前記ユーザの未来の情報を入力するステップと、
前記心身状態と前記未来の情報に基づいて、香料の種類および調合比率を含むレシピを決定するステップとを備える香り決定方法。
【請求項１７】
請求項１６に記載の香り決定方法の各ステップをコンピュータに実行させるためのプログラム。
【請求項１８】
請求項１６に記載の香り決定方法を用いて決定された前記レシピに基づいて香料を噴霧する香り発生装置。
【発明の詳細な説明】
【技術分野】
【０００１】
本発明は、携帯端末、香り発生装置、サーバ、香り決定方法およびプログラムに関する。
【背景技術】
【０００２】
香りを用いて心身の状態を切り替える技術が知られている。特許文献１には、アロマセラピーにおいて被施術者の生体情報を評価して、快適度、リラックス度を求め、被施術者に適切な香料の種類と濃度をフィードバックする技術が開示されている。特許文献２には、所定の条件に基づいて芳香成分を希釈させた希釈液をユーザの近傍から噴霧する技術が開示されている。
【先行技術文献】
【特許文献】
【０００３】
【特許文献１】特開２００２−２８２２３１号公報
【特許文献２】特開２０１６−２１４４９５号公報
【発明の概要】
【発明が解決しようとする課題】
【０００４】
特許文献１および２に開示された技術においては、脳波、心拍などの生理指標に基づいてユーザに香りを提供することができる。しかしながら、生理指標のみに基づいて適切な香りを提供することは必ずしも容易ではない。【０００５】
本発明はこのような問題に鑑み、ユーザに適切な香りを提供することが可能な携帯端末、香り発生装置、サーバ、香り決定方法およびプログラムを提供することを目的とする。
【課題を解決するための手段】
【０００６】
本発明に係る携帯端末は、ユーザの生理指標から心身状態を取得する取得部と、前記ユーザの予定行動を入力する入力部と、前記心身状態と前記予定行動に基づいて、香料の種類および調合比率を含むレシピを決定する決定部と、前記レシピを香り発生装置に送信する通信部とを備える。【０００７】
本発明に係る香り決定方法は、ユーザの生理指標から心身状態を取得するステップと、前記ユーザの予定行動を入力するステップと、前記心身状態と前記予定行動に基づいて、香料の種類および調合比率を含むレシピを決定するステップとを備える。
【発明の効果】
【０００８】
本発明によれば、ユーザに適切な香りを提供することが可能な携帯端末、香り発生装置、サーバ、香り決定方法およびプログラムが提供される。
【図面の簡単な説明】
【０００９】
【図１】第１実施形態に係る香り発生システムの模式図である。
【図２】第１実施形態に係る香料カートリッジの配置の一例である。
【図３】第１実施形態に係る携帯端末のブロック図である。
【図４】第１実施形態に係る香り発生装置のブロック図である。
【図５】第１実施形態に係るアプリケーションプログラムの機能ブロック図である。
【図６】第１実施形態に係る予定行動と香調との対応関係の一例である。
【図７】第１実施形態に係る香りレシピを説明するための図である。
【図８】第１実施形態に係る携帯端末の処理を示すフローチャートである。
【図９Ａ】第１実施形態に係る携帯端末のユーザインターフェースの一例である。
【図９Ｂ】第１実施形態に係る携帯端末のユーザインターフェースの一例である。
【図９Ｃ】第１実施形態に係る携帯端末のユーザインターフェースの一例である。
【図９Ｄ】第１実施形態に係る携帯端末のユーザインターフェースの一例である。
【図１０】第１実施形態に係る香り発生装置の処理を示すフローチャートである。
【図１１】第２実施形態に係る香り発生システムの模式図である。
【図１２】第２実施形態に係るサーバの処理を示すフローチャートである。
【発明を実施するための形態】
【００１０】
［第１実施形態］
図１は、本実施形態に係る香り発生システム１０の模式図である。香り発生システム１０は、携帯端末１００、香り発生装置２００を備えている。携帯端末１００と香り発生装置２００とは、Bluetooth（登録商標）による無線通信３００を介して接続される。携帯端末１００は、例えばスマートフォン、タブレットコンピュータ、ＰＤＡ（Personal Digital Assistant）、ラップトップコンピュータ、携帯電話などの情報端末であり得る。以下、携帯端末１００の一例としてスマートフォンを例に挙げて説明する。なお、無線通信３００は、Bluetooth（登録商標）に限定されるものではなく、ＮＦＣ（Near Field Communication）、赤外線通信、アドホック・モードの無線ＬＡＮなど、ネットワークを介さずに直接通信が可能な任意の通信方式を用いることができる。
【００１１】
携帯端末１００の前面にはタッチパネル１０１が設けられ、背面上部には撮像部（カメラ）１０２とＬＥＤ（Light Emitting Diode）１０３が設けられている。ＬＥＤ１０３は、撮像部１０２の近傍に配置され、撮像部１０２による撮像を行う際にフラッシュライトとして使用可能である。携帯端末１００には、香りレシピを決定するためのアプリケーションプログラム（以下、香り決定アプリ）が予めインストールされている。香り決定アプリは、図示されていないネットワークからダウンロードされてもよく、メモリカードなどの記録媒体を通じて携帯端末１００に供給されてもよい。
【００１２】
タッチパネル１０１には香り決定アプリのアイコンが表示され、ユーザがアイコンに触れることにより香り決定アプリが起動する。ユーザが指先を撮像部１０２に軽く押し当てると、香り決定アプリは所定時間撮像を行ってユーザの心拍情報を取得する。また、タッチパネル１０１には香り決定アプリが提供するユーザインターフェースが表示され、ユーザは表示された選択肢の中から今の気分と予定行動を選択する。香り決定アプリは、これらの情報、すなわち心拍情報、今の気分、予定行動に基づいてユーザに最適な香りレシピを決定することができる。決定された香りレシピはタッチパネル１０１に表示されるとともに、無線通信３００を介して香り発生装置２００に送信される。
【００１３】
香り発生装置２００は、円筒状の筐体を有し、筐体内部に複数の香料カートリッジ２０１とファン２０２を備えている。香り発生装置２００は、無線通信３００を介して受信した香りレシピに基づき香料の噴霧を行う。香り発生装置２００の側面にはハンドル２０３が設けられており、ユーザは香り発生装置２００を容易に持ち運ぶことができる。ユーザは、例えば居間、書斎、寝室などのように、生活シーンに合わせて香り発生装置２００の設置場所を変更するとよい。
【００１４】
香料カートリッジ２０１は、円柱状に形成され、固体、液体の香料を有機溶媒に溶解した液状の香料を収容する。香料カートリッジ２０１は、香り発生装置２００から脱着可能であり、ユーザが容易に交換を行うことができる。香料カートリッジ２０１には図示の超音波振動子が備えられ、超音波振動子の振動によって香料が霧化される。
【００１５】
ファン２０２は、香り発生装置２００の底部に設けられ、上方に向けて空気の流れを発生させる。ファン２０２の上方には、香り発生装置２００の内壁に沿って流路が形成されており、ファン２０２で吸気された空気は、流路を通して香り発生装置２００の上部から排気される。香料カートリッジ２０１の上面には、香料を放出するための開口部が設けられており、霧化した香料は開口部から空気の流れに乗って周囲に拡散する。
【００１６】
なお、香料カートリッジ２０１には異なる種類の香料が収容され、香り発生装置２００に備えられるカートリッジの数は特に限定されない。また、香料カートリッジ２０１には香料に代えて水が収容されてもよい。香料カートリッジ２０１の配置の一例を図２に示す。
【００１７】
図２は、香り発生装置２００を上方から見た模式図であり、香り発生装置２００には７つの香料カートリッジ２０１ａ〜２０１ｇが備えられている。中心の香料カートリッジ２０１ｇには水が収容され、香料カートリッジ２０１ｇの周囲に配置された６つの香料カートリッジ２０１ａ〜２０１ｆにはそれぞれ異なる種類の香料が収容されている。香料カートリッジ２０１ｇから水を噴霧し、香り発生装置２００の周囲の湿度を調節することにより、香料の拡散のしやすさ、ユーザが感じる香りの強さを変化させることができる。
【００１８】
図３は、本実施形態に係る携帯端末１００のブロック図である。携帯端末１００は、撮像部１０２、ＬＥＤ１０３、信号処理回路１０７、タイミング発生回路１０８、レンズ駆動回路１０９、スピーカ１１０、タッチセンサ１１１、ディスプレイ１１２、座標検出回路１１３、ディスプレイコントローラ１１４を備えている。携帯端末１００は、さらにフレームメモリ１１５、ＣＰＵ（Central Processing Unit）１１６、ＲＡＭ（Random Access Memory）１１７、ＲＯＭ（Read Only Memory）１１８、ストレージ１１９、無線通信モジュール１２０を備えている。
【００１９】
撮像部１０２は、光学系１０４、撮像素子１０５、Ａ／Ｄ（Analog/Digital）変換器１０６から構成される。光学系１０４は、光学フィルタ、固定レンズ、フォーカスレンズを含み、被写体（撮像部位）からの光を撮像素子１０５の撮像面に結像させ、被写体像を形成する。撮像素子１０５は、例えばＣＭＯＳ（Complementary Metal Oxide Semiconductor）イメージセンサ、ＣＣＤ（Charge Coupled Device）イメージセンサであり、２次元配列された複数の画素、色フィルタ、マイクロレンズを備える。複数の画素は撮像用の画素、焦点検出用の画素を含み得る。また、撮像素子１０５は、電荷蓄積時間を制御する電子シャッタ機能を有している。複数の画素のそれぞれは、光学系１０４からの入射光に基づく画素信号を出力する。
【００２０】
Ａ／Ｄ変換器１０６は、比較回路、ラッチ回路などから構成され、撮像素子１０５からのアナログの画素信号をデジタルの画像データに変換する。Ａ／Ｄ変換器１０６は、撮像素子１０５内に設けられてもよい。タイミング発生回路１０８は、水平同期信号、垂直同期信号を含む駆動信号を発生させ、撮像素子１０５、Ａ／Ｄ変換器１０６に出力する。撮像部１０２は、静止画像の他、所定のフレームレートの動画像を出力することができる。フレームレートは例えば１／４秒、１／３０秒、１／６０秒などの任意の値であり得るが、心拍測定を精度良く行うためには１／６０秒以下（例えば１／１２０秒など）であることが好ましい。
【００２１】
信号処理回路１０７は、数値演算回路を含み、Ａ／Ｄ変換器１０６からの画像データに対して、ホワイトバランス調整、ガンマ補正、画素補間、輪郭強調、階調変換、ノイズリダクション、圧縮などのデジタル信号処理を行うことができる。レンズ駆動回路１０９はアクチュエータを備え、光学系１０４のフォーカスレンズを駆動し、合焦距離を調節することができる。タイミング発生回路１０８は、クロック信号、同期信号などのタイミング信号を撮像素子１０５、Ａ／Ｄ変換器１０６に出力する。
【００２２】
ＬＥＤ１０３は、光学系１０４の近傍に設けられた光源であり、撮像に適した照度を得るために、撮像部位に向けて光を照射する。スピーカ１１０は、圧電式の振動ユニット、再生回路を備え、音声通話の他、音楽、メッセージ、効果音などを出力するために使用される。
【００２３】
タッチセンサ１１１は、透明なマトリクス状の電極を備えた容量性センサであり、ディスプレイ１１２上に設けられている。ユーザの指がタッチセンサ１１１に触れることにより、電極における静電容量が変化する。座標検出回路１１３は、タッチセンサ１１１における静電容量の変化を検出し、ユーザの指が接触した位置を算出することができる。タッチセンサ１１１は、ユーザからの指示を受け付けるために使用される。
【００２４】
ディスプレイ１１２は、例えばＴＦＴ（Thin Film Transistor）液晶ディスプレイ、有機ＥＬ（Electro Luminescence）ディスプレイであり、ディスプレイコントローラ１１４からの表示信号に応じて、画像、動画、テキスト、アイコンなどの表示を行う。また、ディスプレイ１１２は、香り決定アプリによって提供されるユーザインターフェースの表示も行う。ディスプレイコントローラ１１４は、ビデオメモリを含むプロセッサであり、ディスプレイ１１２の表示を制御する。ディスプレイコントローラ１１４は、ＣＰＵ１１６からの表示データを一時記憶するとともに、表示信号を生成し、ディスプレイ１１２に出力する。タッチセンサ１１１、ディスプレイ１１２は一体的に形成され、タッチパネル１０１を構成する。
【００２５】
フレームメモリ１１５は、複数フレームの画像データを一時的に保持可能であって、信号処理回路１０７、ＣＰＵ１１６による画像処理において使用され得る。例えば、ＣＰＵ１１６は、血流の変化に起因する指先の色成分の変化を複数フレームの画像データから検出することにより、心拍測定を行う。なお、ＲＡＭ１１７の一部がフレームメモリ１１５として使用されてもよい。ＣＰＵ１１６は、ＣＰＵコア、キャッシュメモリなどを備え、携帯端末１００の各部を統括的に制御する。ＣＰＵ１１６は、ＲＯＭ１１８、ストレージ１１９から所定のプログラムを読み出し実行することにより、携帯端末１００の制御を実現することができる。
【００２６】
ＲＡＭ１１７は、例えばＤＲＡＭ（Dynamic RAM）であり、ＣＰＵ１１６のワーク領域、プログラムのロード領域などに使用される。ＲＯＭ１１８は、例えばＥＥＰＲＯM（Electrically Erasable Programmable ROM）であり、ＢＩＯＳ（Basic Input Output System）、各種設定ファイルなどを格納する。ストレージ１１９は、例えばフラッシュメモリであり、ＯＳ（Operating System）などの基本プログラム、香り決定アプリなどの各種アプリケーションプログラム、後述のレシピファイルを格納する。ストレージ１１９は、撮像部１０２による画像データ、香り決定アプリによる測定結果などを格納してもよい。
【００２７】
無線通信モジュール１２０は、外部装置との間で無線通信を行うためのインタフェースである。無線通信モジュール１２０はアンテナ、トランシーバ回路を備え、Bluetooth（登録商標）、無線ＬＡＮなどの通信方式を用いて外部装置との接続を確立することができる。例えばBluetooth（登録商標）による通信により、例えば半径１０ｍ程度の距離までの外部装置と接続可能である。無線通信モジュール１２０は通信部を構成し、香り発生装置２００とデータの送受信を行うために使用される。
【００２８】
図４は、本実施形態に係る香り発生装置２００のブロック図である。香り発生装置２００は、香料カートリッジ２０１、ファン２０２、超音波振動子２０４、駆動回路２０５、照明部２０６、スピーカ２０７、制御部２０８、無線通信モジュール２０９、電源部２１０を備えている。
【００２９】
超音波振動子２０４は、香料カートリッジ２０１に内蔵され、接続コードを介して駆動回路２０５に接続される。超音波振動子２０４は、板状の圧電セラミックスとその両面に形成された電極とを備え、駆動回路２０５から高周波電圧が印加されると伸縮を繰り返し、超音波振動を発生させる。超音波振動により、香料カートリッジ２０１に収容された香料を霧化することができる。なお、図示は省略するが、香り発生装置２００には複数の超音波振動子２０４が接続されており、駆動回路２０５は、複数の超音波振動子２０４を独立して駆動することができる。
【００３０】
駆動回路２０５は、電源部２１０からの電力を変換し、超音波振動子２０４の共振周波数の高周波電圧を生成する。駆動回路２０５は、制御部２０８からの信号に基づいて超音波振動子２０４に高周波電圧を印加する。ファン２０２は羽根車、モータユニットを備え、空気を送出することができる。すなわち、モータユニットは制御部２０８からの信号に基づいて羽根車を回転させ、羽根車は空気の流れを発生させる。
【００３１】
照明部２０６は、複数のＬＥＤから構成され、香り発生装置２００の筐体内に設けられる。照明部２０６は、制御部２０８からの信号に基づいて光の強弱、色合い、点滅パターンを制御することができ、筐体の一部を透明または半透明とすることにより、間接照明、イルミネーションとして使用される。スピーカ２０７は、圧電式の振動ユニット、再生回路を備え、例えばリラックス効果、集中力を高める効果のある音楽、自然音（波の音、鳥の声など）をＢＧＭ（background music）として出力するために使用される。
【００３２】
制御部２０８は、ＣＰＵ、メモリ、インタフェースなどを備え、香り発生装置２００の各部を統括的に制御する。制御部２０８は、メモリから所定のプログラムを読み出し実行することにより、香り発生装置２００の制御を実現することができる。例えば、制御部２０８は、携帯端末１００から受信した香りレシピに基づいて、駆動回路２０５、ファン２０２の動作タイミングを制御することができる。
【００３３】
無線通信モジュール２０９は、外部装置との間で無線通信を行うためのインタフェースである。無線通信モジュール２０９はアンテナ、トランシーバ回路を備え、Bluetooth（登録商標）、無線ＬＡＮなどの通信方式を用いて外部装置との接続を確立することができる。例えば、Bluetooth（登録商標）による通信により、半径１０ｍ程度の距離までの外部装置と接続可能である。無線通信モジュール２０９は、携帯端末１００とデータの送受信を行うために使用される。
【００３４】
電源部２１０は、バッテリ、ＤＣ（Direct Current）−ＤＣコンバータ、レギュレータ回路を備える。バッテリは、例えばリチウムイオン充電池、ニッケル水素充電池、アルカリ乾電池であり、直流電力を出力する。ＤＣ−ＤＣコンバータ、レギュレータ回路は、バッテリの電力を変換し、香り発生装置２００の各部に供給する。なお、バッテリは、外部電源からＵＳＢ端子を介して充電されるように構成されてもよく、非接触式の無線給電によって充電されるように構成されてもよい。
【００３５】
図５は、本実施形態に係る香り決定アプリ５００の機能ブロック図である。香り決定アプリ５００は、取得部５０１、入力部５０２、決定部５０３を有している。香り決定アプリ５００の機能は、ＣＰＵ１１６がストレージ１１９に格納された香り決定アプリ５００のプログラムを読み出し、実行することにより実現される。すなわち、ＣＰＵ１１６は、香り決定アプリ５００による香り決定方法の実行時に、取得部５０１、入力部５０２、決定部５０３として機能する。
【００３６】
取得部５０１は、フレームメモリ１１５に記憶された画像データに基づいて人体の生理指標を測定することができる。例えば、取得部５０１は、ユーザの指先を撮像した複数フレームの画像データからフレーム間における色成分の変化を検出することにより、心拍数、心拍間隔、心拍のゆらぎなどの心拍情報を取得することができる。心拍情報は、指先に限定されず、頬、掌、顔などの人体の他の部位の画像データに基づいて取得することも可能である。また、生理指標は心拍に限定されず、自律神経に関連する他の生理指標（呼吸、血流、体温、発汗など）や脳波などであってもよい。生理指標は、まばたき、頭部の動きなども含み得る。例えば、取得部５０１は、画像処理によって画像データから胸部の輪郭位置を認識し、胸部の変動から呼吸数を取得することができる。同様に、取得部５０１は、画像データからまぶた、頭部の位置を認識し、まばたき回数、頭部の動きを取得することができる。また、取得部５０１は、皮膚の電気抵抗を検出するセンサからの信号に基づいて、発汗量を取得してもよい。
【００３７】
さらに、取得部５０１は、測定した生理指標からユーザの心身状態を算出する。心身状態は、ストレス状態、集中状態、社交性の状態を含み得る。例えば、ストレス状態は、心拍情報に基づいて算出され、低、中、高の３段階で評価される。ストレス状態は、心拍（脈波）のゆらぎに基づいて評価されてもよく、他の生理指標との組合せにより評価されてもよい。また、集中状態は、例えばまばたき回数、頭部の動きの頻度に基づいて算出される。集中度が高い場合、まばたきの回数は減少し、頭部はあまり動かない傾向にある。社交性の状態は、脈波のゆらぎから算出することができる。ここで社交性は、心の柔軟性、寛容さとも表現できる。
【００３８】
入力部５０２は、タッチパネル１０１にユーザインターフェースを表示し、ユーザインターフェース上で選択されたユーザの未来の情報を入力する。未来の情報は、これから行う行動（予定行動）と、なりたい気分（所望の気分）を含み得る。予定行動としては、仕事、勉強、運動、家事、身支度、のんびり（休息）、睡眠、入浴などが挙げられる。ここで挙げた予定行動は、日常生活におけるユーザ自身の行動を想定しているが、予定行動は、これからユーザに対して行うケアの内容としてもよい。例えば、予定行動は、介護現場における身支度、運動、入浴、食事、休息、睡眠、医療現場におけるマッサージ、カウンセリング、治療の内容、サロンにおける施術メニューなどであり得る。なりたい気分としては、リラックス、リフレッシュ、集中、前向き、社交的、女性らしい気分などが挙げられる。ユーザインターフェースには、例えば予定行動のリストがアイコンとして表示され、ユーザがアイコンに触れることにより予定行動が選択される。選択された予定行動はタッチパネル１０１から入力部５０２に入力される。
【００３９】
同様に、入力部５０２は、タッチパネル１０１にユーザインターフェースを表示し、ユーザインターフェース上で選択されたユーザの心理状態を入力する。例えば、ユーザインターフェースには、心理状態のリストがアイコンとして表示される。心理状態は、悪い、まあまあ、良いなどが挙げられる。より具体的に、気になる不調の内容を示すリストなどをアイコン表示してもよい。ユーザがアイコンに触れることにより心理状態が選択され、選択された心理状態はタッチパネル１０１から入力部５０２に入力される。なお、心理状態の入力方法はタッチパネル１０１によるものに限定されない。例えば、ユーザはＳＴＡＩ（State-Trait Anxiety Inventory）などの心理質問紙（アンケート）を用いて心理状態を事前に取得し、ストレージ１１９に格納してもよい。入力部５０２は、ユーザインターフェースを表示する代わりに、ストレージ１１９から心理状態を読み出すことができる。
【００４０】
決定部５０３は、取得部５０１で取得された心身状態と、入力部５０２で入力された未来の情報、心理状態に応じて香りレシピを決定する。決定部５０３は、ストレージ１１９に格納されたレシピファイルに基づいて香りレシピを決定することが可能である。レシピファイルには複数の香りレシピが含まれており、決定部５０３は、所定のルールに従って複数の香りレシピの中から最適な香りレシピを選択することができる。
【００４１】
まず、決定部５０３は、所定の対応関係に従って、香りレシピのメインの香調（香りのタイプ）を選択する。ここで選択される香調は、未来の情報に基づく最適な香調である。すなわち、香りの作用によってユーザの気分が切り替えられ、ユーザを予定行動に適した気分、なりたい気分にさせる効果が高い香調である。一例として、予定行動と香調との対応関係を図６に示す。香調Ａ’〜Ｆ’は、「フルーティ」、「シトラス」、「フローラル」、「ソープ」、「グリーン」、「ムスク」、「グルマン」、「ハーバル」、「アクアティック」、「ウッディ」、「オリエンタル」、「ティー」、「アルデハイディック」、「ミンティ」、「アロマティック」、「スパイシー」、「アーシィ」、「モッシィ」、「バルサミック」、「レザー」、「アンバー」などが挙げられる。以下、香調Ａ’〜Ｆ’を有する香料をそれぞれ香料Ａ〜Ｆとする。なお、予定行動と香調との対応関係、なりたい気分と香調との対応関係は、様々な香調の香料を用意し、香りをかぐ前後での気分の変化を実際に調査することで事前に決定することができる。
【００４２】
図７は、図６に示した香調Ａ’をメインの香調とする香りレシピ７０１〜７０９を示している。決定部５０３は、メインの香調として香調Ａ’を選択した場合、香りレシピ７０１〜７０９のうちの１つを選択する。香りレシピのそれぞれには、香料の種類と調合比率が記述されている。例えば、香りレシピ７０１によれば、香料Ａのみが使用され、香りレシピ７０２によれば、香料Ａと香料Ｃが５対１の比率で調合される。香りレシピ７０３によれば、香料Ａと香料Ｃが４対２の比率で調合され、香りレシピ７０４によれば、香料Ａと香料Ｂが５対１の比率で調合される。また、香りレシピ７０５によれば、香料Ａ、香料Ｂ、香料Ｃが４対１対１の比率で調合される。なお、ここで説明したレシピ７０１〜７０９の香料の種類、調合比率、図７に示した記述方法はあくまで例示に過ぎず、本発明がこれらに限定されるものではない。
【００４３】
図７において、ストレス状態を縦軸、心理状態を横軸とした２次元マップを考えると、香りレシピ７０１〜７０９は２次元マップの各象限にそれぞれ対応する。香りレシピ７０１〜７０９のいずれにおいても、メインの香調Ａ‘に対応する香料Ａの調合比率が最も高い。香料Ａ（主香料）と調合され得る香料Ｂ〜Ｆ（副香料）の調合比率は、ストレス状態と心理状態に応じて変えられている。すなわち、香りレシピ７０１〜７０９によれば、香調Ａ’を基調としつつ、香調Ｂ’〜Ｄ’の香りでアレンジされた香りが提供され得る。
【００４４】
図８は、本実施形態に係る携帯端末１００の処理を示すフローチャートである。携帯端末１００において、ユーザが香り決定アプリ５００を起動すると、ＣＰＵ１１６は、心理状態を入力するためのユーザインターフェース（ＵＩ）５１１をディスプレイ１１２に表示する（ステップＳ１０１）。ＵＩ５１１には、心理状態を「悪い（ｂａｄ）」、「まあまあ（ｎｏｔ  ｂａｄ）」、「良い（ｇｏｏｄ）」の３段階で表す３つのアイコンが表示される（図９Ａ）。ＣＰＵ１１６は、タッチセンサ１１１上においてユーザが触れた位置を検出することにより、ユーザが選択したアイコンを判別する。ＣＰＵ１１６は、選択されたアイコンが表す心理状態をＲＡＭ１１７に記憶する。
【００４５】
次に、ＣＰＵ１１６は、生理指標を測定するための画像を取得する（ステップＳ１０２）。例えば、ＣＰＵ１１６は、「カメラのレンズに指先を軽く押し当てて下さい」、「合図があるまで、そのまま指先を動かさないで下さい」などのメッセージをディスプレイ１１２に表示する。ＣＰＵ１１６は、メッセージとともにアニメーションを表示してもよく、音声によってメッセージを発してもよい。ユーザがメッセージに従って撮像部１０２に指先を押し当てると、ＣＰＵ１１６は、ＬＥＤ１０３を点灯させ、撮像部１０２による撮像を開始する。ＣＰＵ１１６は、所定のフレームレート（例えば６０フレーム毎秒）で撮像を行い、指先の画像データをフレームメモリ１１５に記憶する。
【００４６】
続いて、ＣＰＵ１１６は、撮像した画像データに基づき心身状態を取得する（ステップＳ１０３）。例えば、ＣＰＵ１１６は、指先の画像データから心拍情報を検出し、心拍情報に基づいてストレス状態を取得する。具体的には、ＣＰＵ１１６は、各フレームにおいてＲ（赤）成分の値を平均し、Ｒ成分の平均値の時系列データを生成する。そして、ＣＰＵ１１６は、時系列データを周波数分析し、スペクトルのピークを算出することで、心拍数を算出する。心拍情報はストレス状態に関連付けられており、ストレス状態は例えば低、中、高の３段階で表される。例えば心拍数が所定の閾値以上である場合、ＣＰＵ１１６はストレス状態を「高い」と評価する。
【００４７】
次に、ＣＰＵ１１６は、予定行動を入力するためのＵＩ５１２をディスプレイ１１２に表示する（ステップＳ１０４）。ＵＩ５１２には、例えば「集中して仕事や勉強をする」、「エクササイズ、軽い運動をする」、「家事・その他」、「おでかけ前の身支度をする」、「のんびり（休息）する」、「睡眠する」を表す６つのアイコンが表示される（図９Ｂ）。ＣＰＵ１１６は、タッチセンサ１１１上においてユーザが触れた位置を検出することにより、ユーザが選択したアイコンを判別する。ＣＰＵ１１６は、選択されたアイコンが表す予定行動をＲＡＭ１１７に記憶する。なお、ステップＳ１０１〜Ｓ１０４の処理順は任意である。
【００４８】
ＣＰＵ１１６は、これまでに得られた心理状態、ストレス状態、予定行動に基づいて、香りレシピを決定する（ステップＳ１０５）。まず、ＣＰＵ１１６は、図６に示した対応関係から予定行動に対応する香調を選択する。例えば、予定行動が「仕事・勉強」である場合、ＣＰＵ１１６は、香調Ａ’を選択する。次に、ＣＰＵ１１６は、図７に示した香調Ａ’に対応する香りレシピ７０１〜７０９の中から、心理状態とストレス状態に応じた香りレシピを選択する。例えば、心理状態が悪く、ストレス状態が低い場合、ＣＰＵ１１６は、香りレシピ７０３を選択する。ＣＰＵ１１６は、選択した香りレシピを、香りレシピの選択に用いた心理状態、ストレス状態、予定行動ともにストレージ１１９に格納する。
【００４９】
さらに、ＣＰＵ１１６は、選択した香りレシピの内容をユーザに提供するためのＵＩ５１３をディスプレイ１１２に表示する。例えば、ＵＩ５１３には、香りレシピ７０３が選択された場合、香調Ａ’を有する香料と香調Ｂ’を有する香料の調合比率が４対２であることが表示される（図９Ｃ）。
【００５０】
次に、ＣＰＵ１１６は、無線通信モジュール１２０を用いて香り発生装置２００との無線通信３００を確立し、選択した香りレシピを香り発生装置２００に送信する（ステップＳ１０６）。例えば、ＣＰＵ１１６は、香りレシピ７０８を選択した場合、香料の種類Ａ、Ｂ、Ｃとそれらの調合比率３：２：１を香り発生装置２００に送信する。なお、ＣＰＵ１１６は、レシピファイルを香り発生装置２００に予め格納しておき、香りレシピの識別番号（ＩＤ）のみを送信してもよい。
【００５１】
香りレシピの送信後、香り発生装置２００において香料の噴霧が開始される。ＣＰＵ１１６は、ユーザからの噴霧停止の指示の有無を判断する（ステップＳ１０７）。ユーザは、例えばＵＩ上に表示された停止用のアイコンを触れることにより、噴霧停止の指示を行うことができる。ＣＰＵ１１６は、噴霧停止の指示が無い場合（ステップＳ１０７でＮＯ）、噴霧停止の指示が有るまで待機する。ＣＰＵ１１６は、タイマを設定し（例えば２〜３時間）、設定時間後に次の処理（ステップＳ１０８）に進んでもよい。ＣＰＵ１１６は、噴霧停止の指示が有った場合（ステップＳ１０７でＹＥＳ）、無線通信３００を介して噴霧を停止させるためのコマンドを香り発生装置２００に送信する。
【００５２】
さらに、ＣＰＵ１１６は、ユーザからのフィードバックを入力するためのＵＩ５１４をディスプレイ１１２に表示する（ステップＳ１０８）。例えば、ＵＩ５１４には、「香りは合っていた」、「香りは合っていない」、「好きな香りではない」の３つの選択肢が表示され（図９Ｄ）、ユーザは選択肢の中から適切なものを選択する。また、ＣＰＵ１１６は、生理指標の測定結果をフィードバックとしてもよい。例えば、ＣＰＵ１１６は、香りレシピを決定する際に使用した生理指標を再度測定し、香りの提供前後における測定値の変化をフィードバックとしてもよい。ＣＰＵ１１６は、このようなユーザからのフィードバックをストレージ１１９に記憶する。
【００５３】
最後に、ＣＰＵ１１６は、ユーザからのフィードバックに基づいてレシピファイルを更新する（ステップＳ１０９）。例えば、香りレシピ７０３に対して「香りは合っていない」というフィードバックを受けた場合、ＣＰＵ１１６は、香りレシピ７０３に類似する香りレシピ７０２、７０５、７０６（図７参照）のいずれかに変更する。また、ＣＰＵ１１６は、香りレシピ７０１に対して「好きな香りではない」というフィードバックを受けた場合、香りレシピ７０１の香料Ａを含まない香りレシピの中から以降の選択を行う。なお、以上のフローチャートの説明においては、未来の情報として予定行動を入力する例を説明したが、なりたい気分を入力する場合であっても同様の処理を行うことができる。
【００５４】
図１０は、本実施形態に係る香り発生装置２００の処理を示すフローチャートである。まず、制御部２０８は、無線通信モジュール２０９を介して携帯端末１００から香りレシピを受信する（ステップＳ２０１）。続いて、制御部２０８は、受信した香りレシピから香料の種類および調合比率を取得し、駆動対象となる香料カートリッジ２０１と間欠時間を決定する（ステップＳ２０２）。間欠時間とは、噴霧のオン・オフを繰り返す場合に、噴霧のタイミングを記述するものである。例えば、香料Ａと香料Ｂが５対１で調合される場合、駆動対象として、香料Ａを収容する香料カートリッジ２０１ａと、香料Ｂを収容する香料カートリッジ２０１ｂとが決定される。また、例えば噴霧の間欠周期が５秒に設定され、香料カートリッジ２０１ａからの噴霧が間欠周期内で０〜５秒の間（常時オン）、香料カートリッジ２０１ｂからの噴霧が間欠周期内で０〜１秒の間に行われることが決定される。
【００５５】
次に、制御部２０８は、決定された駆動対象および噴霧時間に基づく信号を駆動回路２０５に送信する。制御部２０８からの信号に応じて、香料カートリッジ２０１ａの超音波振動子２０４ａと香料カートリッジ２０１ｂの超音波振動子２０４ｂのそれぞれに駆動回路２０５から電圧が印加される（ステップＳ２０２）。これにより、香りレシピに応じて調合された香料が香料カートリッジ２０１ａ、２０１ｂから噴霧される。
【００５６】
香料の噴霧が行われている間、制御部２０８は、携帯端末１００から噴霧停止のコマンドを受信したか否かを判断する（ステップＳ２０４）。制御部２０８は、噴霧停止のコマンドを受信していない場合（ステップＳ２０４でＮＯ）、コマンドを受信するまで待機する。制御部２０８は、噴霧停止のコマンドを受信した場合（ステップＳ２０４でＹＥＳ）、超音波振動子２０４の駆動を停止する。そして制御部２０８は、フローチャートの最初に戻り、新たな香りレシピを受信するまで待機する。
【００５７】
本実施形態においては、ストレス状態などのユーザの心身状態と、ユーザが次にとる行動、なりたい気分などの情報に基づいて香料レシピが決定される。すなわち、ユーザの現在の状態から未来の行動までの生活シーンを考慮して香料レシピが決定されるため、提供される香りは、ユーザの気分を適切な方向に切り替えることができる。例えば、ユーザがこれから就寝するシーンを想定すると、香りの効果は現在のストレス状態に応じて異なるはずである。本実施形態によれば、様々な生活シーンに合わせて最適な香りを提供することが可能である。
【００５８】
［第２実施形態］
続いて、本発明の第２実施形態に係る香り発生システム９０を説明する。図１１は、本実施形態に係る香り発生システム９０のブロック図である。香り発生システム９０は、携帯端末１００ａ〜１００ｃ、香り発生装置２００ａ〜２００ｃ、サーバ９００、データベース９０１、ネットワーク９０２を備えている。携帯端末１００ａ〜１００ｃと香り発生装置２００ａ〜２００ｃは、それぞれ第１実施形態に係る携帯端末１００、香り発生装置２００と同様に構成されているため、第１実施形態と異なる点を中心に説明する。香り発生システム９０において、携帯端末１００ａ〜１００ｃで取得されたユーザのフィードバックは、サーバ９００に接続されたデータベース９０１に蓄積される。
【００５９】
携帯端末１００ａ〜１００ｃと香り発生装置２００ａ〜２００ｃとは、それぞれ無線通信３００ａ〜３００ｃにより接続される。また、携帯端末１００ａ〜１００ｃとサーバ９００とは、移動体通信網、インターネットなどのネットワーク９０２を介して通信可能に接続される。携帯端末１００ａ〜１００ｃのそれぞれの無線通信モジュール１２０ａ〜１２０ｃは、ＬＴＥ（Long Term Evolution）、４Ｇ（4th Generation）などの移動体通信方式を用いてネットワーク９０２に接続することが可能である。なお、香り発生システム９０には、携帯端末１００ａ〜１００ｃに限らず、より多数の携帯端末１００が含まれ得る。
【００６０】
サーバ９００は、ＣＰＵ、メモリ、通信インタフェースなどを備え、香り発生システム９０を管理する。サーバ９００は、例えば、携帯端末１００ａ〜１００ｃに香り決定アプリ５００をダウンロードする機能、携帯端末１００ａ〜１００ｃからのフィードバックを収集する機能、レシピファイルを作成、更新する機能を有している。データベース９０１は、ハードディスクなどの記憶装置であり、携帯端末１００ａ〜１００ｃからのフィードバック、レシピファイルなどを格納する。レシピファイルは、携帯端末１００ａ〜１００ｃに使用される共用ファイルであってもよく、携帯端末１００ａ〜１００ｃのそれぞれ（ユーザ毎）に対して作成された別個のファイルであってもよい。
【００６１】
図１２は、本実施形態に係るサーバ９００の処理を示すフローチャートである。まず、サーバ９００は、携帯端末１００ａ〜１００ｃのいずれかからフィードバックを受信したか否かを判断する（ステップＳ９０１）。サーバ９００は、フィードバックを受信していない場合（ステップＳ９０１でＮＯ）、携帯端末１００ａ〜１００ｃのいずれかからフィードバックを受信するまで待機する。サーバ９００は、フィードバックを受信した場合（ステップＳ９０１でＹＥＳ）、受信したフィードバックに基づいてレシピファイルを変更する（ステップＳ９０２）。
【００６２】
例えば、サーバ９００は、香りレシピ毎にフィードバックを集計し、所定の割合以上で「香りは合っていない」とのフィードバックを受けた香りレシピを変更する。香りレシピの変更方法は、上述のステップＳ１０９の処理と同様であってよい。また、サーバ９００は、ユーザ毎にレシピファイルを管理するとともに、他のユーザのフィードバックに基づいて香りレシピを変更してもよい。例えば、香りレシピを変更する際に、他人のフィードバックの評価が高い香りレシピを優先的に選択するようにしてもよい。
【００６３】
次に、サーバ９００は、変更したレシピファイルを携帯端末１００ａ〜１００ｃに送信する（ステップＳ９０３）。レシピファイルがユーザ毎に管理されている場合には、レシピファイルの対象ユーザの携帯端末のみにレシピファイルが送信される。携帯端末１００ａ〜１００ｃにおいてレシピファイルが受信されると、香りレシピの変更内容が表示される。サーバ９００は、ステップＳ９０１に戻り、新たなフィードバックを待機する。
【００６４】
［変形実施形態］
上述の実施形態は、本発明を実施するにあたっての具体化の例を示したものに過ぎず、これらによって本発明の技術的範囲が限定的に解釈されるものではない。すなわち、本発明は、上述の実施形態に限定されることなく、本発明の趣旨を逸脱しない範囲で変更実施可能である。
【００６５】
例えば、携帯端末１００は、画像、音声、その他の生理指標を取得することにより、ユーザの心理状態（気分）を判定してもよい。例えば、ユーザにアイコンを選択させる代わりに、ユーザの顔を撮像し、画像処理を用いて顔の表情を解析することで、ユーザの心理状態を判定することができる。また、ユーザの生理指標は香り発生装置２００により取得されてもよい。例えば、ハンドル２０３に接触式の心拍センサを設け、ユーザが香り発生装置２００を持ち運ぶ際に、自動的に心拍を測定するように構成されてもよい。
【００６６】
また、携帯端末１００は、ユーザの行動パターン、バイオリズムなどに基づいて香りレシピを決定してもよい。例えば、予定行動、生理指標が取得された時刻から行動パターン、バイオリズムを解析することができる。さらに、携帯端末１００は、香りレシピと同様に、照明パターン、ＢＧＭなどを決定してもよい。香り発生装置２００において、香りとともに照明、音楽をユーザに提供することで、気分の切り替えをより効果的に行うことが可能となる。
【００６７】
上述の実施形態の機能を実現するように該実施形態の構成を動作させるプログラム（例えば香り決定アプリ）を記録媒体に記録させ、記録媒体に記憶されたプログラムをコードとして読み出し、コンピュータにおいて実行する処理方法も上述の実施形態の範疇に含まれる。すなわちコンピュータ読み取り可能な記録媒体も上述の実施形態に含まれる。また、プログラムが記録された記録媒体はもちろんそのプログラム自体も上述の実施形態に含まれる。
【００６８】
記録媒体としては例えばフロッピー（登録商標）ディスク、ハードディスク、光ディスク、光磁気ディスク、ＣＤ−ＲＯＭ、磁気テープ、不揮発性メモリカード、ＲＯＭを用いることができる。また、記録媒体に記録されたプログラム単体で処理を実行するものに限らず、他のソフトウエア、拡張ボードの機能と共同して処理を実行するものも上述の実施形態の範疇に含まれる。
【符号の説明】
【００６９】
１００  携帯端末
１０１  タッチパネル
１０２  撮像部
１１６  ＣＰＵ
１１７  ＲＡＭ
１１８  ＲＯＭ
１１９  ストレージ
１２０  無線通信モジュール
２００  香り発生装置
２０１  香料カートリッジ
２０４  超音波振動子
２０８  制御部
２０９  無線通信モジュール
３００  無線通信
５００  アプリケーションプログラム
５１１〜５１４  ユーザインターフェース
７０１〜７０９  香りレシピ
９００  サーバ
９０１  データベース
【図１】
2018163361.tif 000003
【図２】
2018163361.tif 000004
【図３】
2018163361.tif 000005
【図４】
2018163361.tif 000006
【図５】
2018163361.tif 000007
【図６】
2018163361.tif 000008
【図７】
2018163361.tif 000009
【図８】
2018163361.tif 000010
【図９Ａ】
2018163361.tif 000011
【図９Ｂ】
2018163361.tif 000012
【図９Ｃ】
2018163361.tif 000013
【図９Ｄ】
2018163361.tif 000014
【図１０】
2018163361.tif 000015
【図１１】
2018163361.tif 000016
【図１２】
2018163361.tif 000017
【国際調査報告】
2018163361.tif 000018
2018163361.tif 000019
2018163361.tif 000020
2018163361.tif 000021